(57)【特許請求の範囲】
【請求項１】
サービングアクセスノード（１００−１）から前記サービングアクセスノード（１００−１）と関連付けられた移動端末（２００）へのダウンリンク信号通信の方法であって、
−更なる移動端末（２００'、２００"'）への信号通信に関するスケジューリング情報を取得するステップと、
−前記移動端末（２００）における干渉緩和のために前記スケジューリング情報を使用できるように前記取得されたスケジューリング情報を前記移動端末（２００）に転送するステップと、
が前記サービングアクセスノード（１００−１）により実行され、
前記スケジューリング情報は、前記更なる移動端末（２００'、２００"'）への前記信号通信に使用される、周波数リソース割当、及び、時間リソース割当のうちの少なくともいずれかを示すことを特徴とする方法。
【請求項２】
前記スケジューリング情報は、前記更なる移動端末（２００'、２００"'）への前記信号通信に使用される、変調方式、符号化方式、プリコーディング行列、参照信号、及び、送信電力のうちの少なくともいずれかを示すことを特徴とする請求項１記載の方法。
【請求項３】
前記スケジューリング情報は、前記サービングアクセスノード（１００−１）から前記更なる移動端末（２００"'）への信号通信に関係することを特徴とする請求項１又は２記載の方法。
【請求項４】
前記スケジューリング情報は、サポーティングアクセスノード（１００−２）から前記更なる移動端末（２００'）への信号通信に関係することを特徴とする請求項１乃至３のいずれか１項に記載の方法。
【請求項５】
−更なるアクセスノード（１００−２、１００−３）と前記移動端末（２００）との間のリンクの特性を判定するステップと、
−前記判定された特性に基づいて前記更なるアクセスノード（１００−２、１００−３）を前記サポーティングアクセスノード（１００−２）として選択するステップと、
を備えることを特徴とする請求項４記載の方法。
【請求項６】
−前記サポーティングアクセスノード（１００−２）から前記スケジューリング情報を受信するために、前記サービングアクセスノード（１００−１）から前記サポーティングアクセスノード（１００−２）にメッセージ（２２、２２'）を送信するステップを備えることを特徴とする請求項４又は５記載の方法。
【請求項７】
前記メッセージ（２２）は、前記サービングアクセスノード（１００−１）から前記移動端末（２００）への信号通信に関する更なるスケジューリング情報に関する情報を含むことを特徴とする請求項６記載の方法。
【請求項８】
前記メッセージ（２２）は、前記サポーティングアクセスノード（１００−２）から前記移動端末（２００）において受信された干渉信号（１２−２'）の推定信号品質に関する情報を含むことを特徴とする請求項６又は７記載の方法。
【請求項９】
−前記メッセージ（２２）の前記情報に基づいて、前記サポーティングアクセスノード（１００−２）から前記更なる移動端末（２００'）への信号通信をスケジュールするステップを備えることを特徴とする請求項７又は８記載の方法。
【請求項１０】
−前記サービングアクセスノード（１００−１）から前記移動端末（２００）への信号通信に関する更なるスケジューリング情報を、前記サービングアクセスノード（１００−１）から少なくとも１つの更なるアクセスノード（１００−２、１００−３）に送信するステップを備えることを特徴とする請求項１乃至９のいずれか１項に記載の方法。
【請求項１１】
前記更なるスケジューリング情報は、前記サービングアクセスノード（１００−１）から前記移動端末（２００）への前記信号通信に使用される、変調方式、符号化方式、プリコーディング行列、参照信号、送信電力、周波数リソース割当、及び、時間リソース割当のうちの少なくともいずれかを示すことを特徴とする請求項１０記載の方法。
【請求項１２】
サービングアクセスノード（１００−１）から前記サービングアクセスノード（１００−１）と関連付けられた移動端末（２００）へのダウンリンク信号通信の方法であって、
−更なる移動端末（２００'、２００"'）への信号通信に関するスケジューリング情報を前記サービングアクセスノード（１００−１）から受信するステップと、
−前記サービングアクセスノード（１００−１）から通信信号（１２−１）を受信するステップと、
−前記更なる移動端末（２００'、２００"'）への前記信号通信に起因する干渉信号（１２−２'、１３−１'）を受信するステップと、
−前記受信したスケジューリング情報に基づいて、前記通信信号（１２−１）から前記干渉信号（１２−２'、１３−１'）の少なくとも信号部分を除去するステップと、
が前記移動端末（２００）により実行され、
前記スケジューリング情報は、前記更なる移動端末（２００'、２００"'）への前記信号通信に使用される、周波数リソース割当、及び、時間リソース割当のうちの少なくともいずれかを示すことを特徴とする方法。
【請求項１３】
前記除去には、前記受信したスケジューリング情報に基づく前記干渉信号（１２−２'、１３−１'）の復号化が含まれることを特徴とする請求項１２記載の方法。
【請求項１４】
前記除去には、前記受信したスケジューリング情報に基づく前記干渉信号（１２−２'、１３−１'）の干渉共分散行列の判定が含まれることを特徴とする請求項１２又は１３記載の方法。
【請求項１５】
移動端末（２００）のサービングアクセスノード（１００−１）として動作するように構成されたネットワークデバイスであって、
−前記移動端末（２００）との通信のための無線インタフェース（Ｔ１１、Ｒ１１）と、
−プロセッサ（Ｐ１）と、
を備え、
前記プロセッサ（Ｐ１）は、更なる移動端末（２００'、２００"'）への信号通信に関するスケジューリング情報を取得するように構成され、
前記プロセッサ（Ｐ１）は、前記移動端末（２００）における干渉緩和のために前記スケジューリング情報を使用できるように、前記無線インタフェース（Ｔ１１、Ｒ１１）を介して前記取得されたスケジューリング情報を前記移動端末（２００）に転送するように構成され、
前記スケジューリング情報は、前記更なる移動端末（２００'、２００"'）への前記信号通信に使用される、周波数リソース割当、及び、時間リソース割当のうちの少なくともいずれかを示すことを特徴とするネットワークデバイス。
【請求項１６】
前記プロセッサ（Ｐ１）は、請求項１乃至１１のいずれか１項に記載の方法のステップの実行を制御するように構成されたことを特徴とする請求項１５記載のネットワークデバイス。
【請求項１７】
移動端末（２００）であって、
−前記移動端末（２００）のサービングアクセスノード（１００−１）との通信のための無線インタフェース（Ｔ３１、Ｒ３１）と、
−プロセッサ（Ｐ３）と、
を備え、
前記プロセッサ（Ｐ３）は、前記無線インタフェース（Ｔ３１、Ｒ３１）を介して更なる移動端末（２００'、２００"'）への信号通信に関するスケジューリング情報を受信するように構成され、
前記プロセッサ（Ｐ３）は、前記無線インタフェース（Ｔ３１、Ｒ３１）を介して前記サービングアクセスノード（１００−１）からの通信信号（１２−１）と前記更なる移動端末（２００'、２００"'）への前記信号通信に起因する干渉信号（１２−２'、１３−１'）とを受信するように構成され、
前記プロセッサ（Ｐ３）は、前記受信した外部のスケジューリング情報に基づいて前記通信信号（１２−１）から前記干渉信号（１２−２'、１３−１'）の少なくとも信号部分を除去するように構成され、
前記スケジューリング情報は、前記更なる移動端末（２００'、２００"'）への前記信号通信に使用される、周波数リソース割当、及び、時間リソース割当のうちの少なくともいずれかを示すことを特徴とする移動端末（２００）。
【請求項１８】
前記プロセッサ（Ｐ３）は、請求項１２乃至１４のいずれか１項に記載の方法のステップの実行を制御するように構成されたことを特徴とする請求項１７記載の移動端末。
【請求項１９】
ネットワークデバイスのプロセッサ（Ｐ１）により実行されるコンピュータプログラムであって、
請求項１乃至１１のいずれか１項に記載の方法のステップを実行するように構成されたコードを含むことを特徴とするコンピュータプログラム。
【請求項２０】
移動端末（２００）のプロセッサ（Ｐ３）により実行されるコンピュータプログラムであって、
請求項１２乃至１４のいずれか１項に記載の方法のステップを実行するように構成されたコードを含むことを特徴とするコンピュータプログラム。
【請求項２１】
請求項１５又は１６記載のネットワークデバイスと、請求項１７又は１８記載の移動端末（２００）とを備えることを特徴とするシステム。
【発明の詳細な説明】
【技術分野】
【０００１】
本発明は、移動通信ネットワークにおける干渉緩和の技術に関し、特に、アクセスノードから移動端末へのダウンリンク（ＤＬ）信号通信における干渉緩和の技術に関する。
【背景技術】
【０００２】
一般に、セルラ通信ネットワークは同一チャネル干渉の影響を受ける。すなわち、同一の物理リソースを使用して同時に送信を行うことにより相互干渉が発生する可能性がある。同一チャネル干渉は、結果として受信信号の品質を低下させる。これは、信号対干渉＋雑音比（ＳＩＮＲ）として測定され、容量を制限する。
【０００３】
３ＧＰＰ  ＬＴＥ（３ＧＰＰ：第３世代パートナーシッププロジェクト、ＬＴＥ：Ｌｏｎｇ  Ｔｅｒｍ  Ｅｖｏｌｕｔｉｏｎ）において、同一チャネル干渉の影響を受けるユーザ機器（ＵＥ）のＳＩＮＲを向上させるために、多地点協調送受信（ＣｏＭＰ）と呼ばれるセル間の連携技術を使用することが提案されている。ＤＬ信号通信においてＣｏＭＰを使用する既知の戦略は、通信ネットワークのアクセスノードにおいて実現される。１つの既知の戦略は、協調スケジューリングを使用することである。協調スケジューリングにおいて、連携するセルは、同一チャネル干渉が回避されるか又は軽減されるように関連付けられたＵＥをスケジュールする。しかし、セルの使用容量が増加すると、協調スケジューリングを達成する自由が減少する。別の既知の戦略は共同送信を使用することである。共同送信において、連携するセルは同一データをＵＥに共同で送出する。しかし、共同送信は、連携するセル間で送信データをやり取りするのに非常に多くの帯域幅を必要とする可能性がある。
【０００４】
従って、ＤＬ信号通信において効率的な干渉緩和を可能にする技術が必要とされる。
【発明の概要】
【０００５】
本発明の目的は、上記要求を満たすことである。これは、独立請求項に係る方法又はデバイスにより達成される。従属請求項は、本発明の更なる実施形態を規定する。
【０００６】
本発明の１つの態様によると、サービングアクセスノードから移動端末へのＤＬ信号通信の方法が提供される。移動端末は、サービングアクセスノードと関連付けられる。方法によると、サービングアクセスノードはスケジューリング情報を取得する。スケジューリング情報は、更なる移動端末への信号通信に関係する。取得されたスケジューリング情報は、移動端末における干渉緩和のためにスケジューリング情報を使用できるように移動端末に転送される。
【０００７】
本発明の更なる態様によると、サービングアクセスノードから移動端末へのＤＬ信号通信の方法が提供される。移動端末は、サービングアクセスノードと関連付けられる。方法によると、移動端末は、サービングアクセスノードからスケジューリング情報を受信する。スケジューリング情報は、更なる移動端末への信号通信に関係する。移動端末は、サービングアクセスノードから通信信号を受信し、更なる移動端末への信号通信に起因する干渉信号を受信する。受信されたスケジューリング情報に基づいて、干渉信号の少なくとも信号部分が通信信号から除去される。
【０００８】
本発明の更なる態様によると、ネットワークデバイスが提供される。ネットワークデバイスは、移動端末のサービングアクセスノードとして動作するように構成される。ネットワークデバイスは、移動端末との通信のための無線インタフェースと、プロセッサとを備える。プロセッサは、スケジューリング情報を取得するように構成される。スケジューリング情報は、更なる移動端末への信号通信に関係する。更にプロセッサは、移動端末における干渉緩和のためにスケジューリング情報を使用できるように無線インタフェースを介して取得されたスケジューリング情報を移動端末に転送するように構成される。
【０００９】
本発明の更なる態様によると、移動端末が提供される。移動端末は、移動端末のサービングアクセスノードとの通信のための無線インタフェースと、プロセッサとを備える。プロセッサは、無線インタフェースを介してサービングアクセスノードからスケジューリング情報を受信するように構成される。スケジューリング情報は、更なる移動端末への信号通信に関係する。更にプロセッサは、無線インタフェースを介してサービングアクセスノードからの通信信号と更なる移動端末への信号通信に起因する干渉信号とを受信するように構成される。また、プロセッサは、受信されたスケジューリング情報に基づいて通信信号から干渉信号の少なくとも信号部分を除去するように構成される。
【００１０】
本発明の更なる態様によると、上記態様に係る少なくとも１つのネットワークデバイスと少なくとも１つの移動端末とを備えるシステムが提供される。
【００１１】
本発明の更なる態様によると、ネットワークデバイスのプロセッサにより実行されるコンピュータプログラムが提供される。コンピュータプログラムは、ネットワークデバイスを移動端末のサービングアクセスノードとして動作させるように構成されたプログラムコードを含む。更にプログラムコードは、スケジューリング情報を取得するように構成される。取得されたスケジューリング情報は、更なる移動端末への信号通信に関係する。更にプログラムコードは、移動端末における干渉緩和のためにスケジューリング情報を使用できるようにスケジューリング情報を移動端末に転送するように構成される。
【００１２】
本発明の更なる態様によると、移動端末のプロセッサにより実行されるコンピュータプログラムが提供される。コンピュータプログラムは、サービングアクセスノードからスケジューリング情報を受信するように構成されたプログラムコードを含む。スケジューリング情報は、更なる移動端末への信号通信に関係する。更にプログラムコードは、サービングアクセスノードからの通信信号と、更なる移動端末への信号通信に起因する干渉信号とを受信するように構成される。また、プログラムコードは、受信されたスケジューリング情報に基づいて、通信信号から干渉信号の少なくとも信号部分を除去するように構成される。
【図面の簡単な説明】
【００１３】
【図１】図１は、本発明の実施形態に係る概念が適用可能である通信ネットワーク環境を概略的に示す図である。
【図２】図２は、本発明の一実施形態に係る通信ネットワークにおけるデバイスの一実現例を概略的に示す図である。
【図３】図３は、本発明の更なる一実施形態に係る通信ネットワークにおけるデバイスの一実現例を概略的に示す図である。
【図４】図４は、移動端末に対するＤＬ連携のためにアクセスノードの集合が選択されるアクセスノードのアンサンブルと移動端末とを概略的に示す図である。
【図５】図５は、図４の選択されたアクセスノードの集合と、その集合のアクセスノードと移動端末との間の通信とを概略的に示す図である。
【図６】図６は、本発明の一実施形態に係るＤＬ信号通信におけるアクセスノードの連携のための処理を概略的に示す図である。
【図７】図７は、本発明の一実施形態に係るＤＬ信号通信におけるアクセスノードの連携のための更なる処理を概略的に示す図である。
【図８】図８は、図７の処理を使用するアクセスノードの連携の例示的な一例を概略的に示す図である。
【図９】図９は、本発明の一実施形態に係るアクセスノードに基づく方法を概略的に示すフローチャートである。
【図１０】図１０は、本発明の一実施形態に係る移動端末に基づく方法を概略的に示すフローチャートである。
【発明を実施するための形態】
【００１４】
以下において、アクセスノードから移動端末へのＤＬ信号通信のための方法、デバイス及びコンピュータプログラムに関する例示的な実施形態を参照して、本発明を更に詳細に説明する。
【００１５】
図示する実施形態において、アクセスノードは、例えばＬＴＥ技術用語で拡張ノードＢ（ｅＮＢ）である基地局（ＢＳ）、あるいは例えばＬＴＥ技術用語でタイプ１中継ノードである中継ノード、あるいはＢＳ又は中継ノードのセクションにおいて実現される。ＢＳ又は中継ノードのセクションは、セルラ無線周波数（ＲＦ）通信ネットワークのセル領域を範囲に含む単位として考えられてもよい。従って、アクセスノードは、ＲＦ通信ネットワークのセルに対応してもよい。一般にアクセスノードは、１つ以上のアンテナと、フィルタ及び電力増幅器又は低雑音増幅器等のＲＦ部分と、信号処理手段とを含む。
【００１６】
本発明の実施形態は、移動端末へのＤＬ信号通信の技術を提供する。これらの技術によると、移動端末はサービングアクセスノードと関連付けられる。サービングアクセスノードは、ＲＦ通信ネットワークとの移動端末の通信を制御する。特にサービングアクセスノードは、関連付けられた移動端末へのＤＬ信号通信に使用されるパラメータを判定する。これは、スケジューリングとも呼ばれる。信号通信に使用される、変調方式、符号化方式、プリコーディング行列、参照信号、送信電力、周波数リソース割り当て及び／又は時間リソース割り当てを示すこれらのパラメータは、スケジューリング情報とも呼ばれる。本明細書で説明するような技術によると、サービングアクセスノードは、更なる移動端末への信号通信に関するスケジューリング情報を更に取得する。この信号通信は、サービングアクセスノードから更なる移動端末に対するものであり、これは、取得されるスケジューリング情報がサービングアクセスノードにおいて既に入手可能であるが、フィルタリング又は選択処理が行われる可能性があることを意味する。更にこの信号通信は、サポーティングアクセスノードから更なる移動端末に対するものであってもよい。この場合、サポーティングアクセスノードは、移動端末のサービングアクセスノードがスケジューリング情報を入手できるようにし、サービングアクセスノードにおいてスケジューリング情報を取得する処理は、サポーティングアクセスノードからスケジューリング情報を受信することを含む。移動端末のサービングアクセスノードは、取得したスケジューリング情報を移動端末に転送し、移動端末において、その情報は干渉緩和の目的で使用される。換言すると、サービングアクセスノードは、干渉緩和のために移動端末により使用されるように転送されるスケジューリング情報を送信する。この処理において、一般に移動端末は、転送されたスケジューリング情報を送信する信号を受信及び復号化する。
【００１７】
上述したように、図示する実施形態のうちのいくつかは、少なくとも２つのアクセスノードの間、例えば第１のＢＳと第２のＢＳとの間、第１のＢＳの第１のセクションと同一のＢＳ又は第２のＢＳの第２のセクションとの間、並びに／あるいは第１の中継ノードと第２の中継ノードとの間、第１の中継ノードの第１のセクションと同一の中継ノード又は第２の中継ノードの第２のセクションとの間のアクセスノードの連携を含む。種々のアクセスノード間の連携は、基地局間の連携、ｅＮＢ間の連携又は中継ノード間の連携とも呼ばれ、同一のＢＳ又は中継ノードのセクション間の連携は、基地局内の連携、ｅＮＢ内の連携又は中継ノード内の連携とも呼ばれる。また、連携は、種々のアクセスノード間、例えばＢＳ又はＢＳのセクションと中継ノード又は中継ノードのセクションとの間で実現される。更に、アクセスノードがＲＦ通信ネットワークの各セルに対応してもよいため、アクセスノード間の連携はセル間の連携と呼ばれてもよい。
【００１８】
いくつかの実施形態によると、サービングアクセスノードは更なるアクセスノードのグループから１つ以上のサポーティングアクセスノードを選択できる。サポーティングアクセスノードとして更なるアクセスノードを選択することは、その更なるアクセスノードと移動端末との間のリンクの特性に基づいて達成されてもよい。その特性は、例えば受信信号強度、パス利得又は待ち時間等のリンクの信号品質を含んでもよい。サポーティングアクセスノードは、更なる移動端末のサービングアクセスノードであってもよい。スケジューリング情報は、直接すなわち更なるアクセスノードに渡さずに、あるいは間接的すなわちサポーティングアクセスノードであってもよい１つ以上の更なるアクセスノードを介して、移動端末のサービングアクセスノードに通信されてもよい。
【００１９】
以下において、上記で概略を示した概念に基づく本発明の実施形態について、添付の図面を参照して更に詳細に説明する。
【００２０】
図１は、本発明の実施形態に係る概念が適用される移動通信ネットワーク環境を示す。例えば移動通信ネットワーク環境は、ＬＴＥネットワークであってもよい。移動通信ネットワーク環境は、複数のアクセスノード１００−１、１００−２、１００−３と、移動端末２００と、更なる移動端末２００'、２００"、２００"'とを含む。移動端末２００、２００'、２００"は、移動電話、ポータブルコンピュータ又は他の種類のＵＥであってもよい。
【００２１】
図１の例示的な例において、アクセスノード１００−１は移動端末２００及び移動端末２００"'のサービングアクセスノードであり、アクセスノード１００−２は移動端末２００'のサービングアクセスノードであり、アクセスノード１００−３は移動端末２００"のサービングアクセスノードである。アクセスノード１００−１は、通信信号１２−１を移動端末２００に送信し、通信信号１３−１を更なる移動端末２００"'に送信する。アクセスノード１００−２は、通信信号１２−２を移動端末２００'に送信する。アクセスノード１００−３は、通信信号１２−３を移動端末２００"に送信する。更に図示するように、移動端末２００は、アクセスノード１００−２により送信されるような通信信号１２−２を干渉信号１２−２'として更に受信する可能性がある。同様に、移動端末２００は、更なる移動端末２００"'に送信されるような通信信号１３−１を干渉信号１３−１'として更に受信する可能性がある。干渉のために、移動端末２００において受信されるような通信信号１２−１は干渉信号１２−２'、１３−１'の信号部分を含み、ＳＩＮＲを低減する。図示する例において、移動端末２００により受信されるような通信信号１２−１は、アクセスノード１００−３により送信されるような通信信号１２−３による干渉、例えばアクセスノード１００−２より移動端末２００から離れて配置されているアクセスノード１００−３による干渉、あるいは通信信号１２−２より小さい送信電力で、あるいは他の周波数リソース又は時間リソースを使用して送信されている通信信号１２−３による干渉の影響をそれ程受けない。上記例は単なる１つの干渉の例であり、例として移動端末２００'で受信されるような通信信号１２−２がアクセスノード１００−１により送信される通信信号１２−１、１３−１による干渉又はアクセスノード１００−３により送信される通信信号１２−３による干渉の影響を受ける可能性もあることが理解される。同様に、移動端末２００"で受信されるような通信信号１２−３は、アクセスノード１００−１により送信される通信信号１２−１、１３−１による干渉又はアクセスノード１００−２により送信される通信信号１２−２による干渉の影響を受ける可能性もある。
【００２２】
上記種類の干渉を回避又は緩和するために、干渉の影響を受ける移動端末２００は、図示する例においては通信信号１２−２及び１３−１である干渉を引き起こす通信信号に関するスケジューリング情報を提供される。移動端末２００における干渉緩和は、サービングアクセスノード１００−１からの通信信号１２−１と移動端末２００における干渉信号１２−２'、１３−１'とを受信し、受信した通信信号１２−１から干渉信号１２−２'、１３−１'の少なくとも信号部分を除去することにより達成される。干渉緩和の処理は、干渉信号１２−２'、１３−１'の復号化のための基準として移動端末２００で受信したスケジューリング情報を使用することを含んでもよく、干渉除去として実現されてもよい。更に干渉緩和は、干渉信号１２−２'、１３−１'の干渉共分散行列を算出するための基準として移動端末２００で受信したスケジューリング情報を使用することを含んでもよく、移動端末２００において干渉信号１２−２'、１３−１'を受信するために複数のアンテナを使用する干渉抑圧合成として実現されてもよい。
【００２３】
移動端末２００における干渉緩和に必要とされるスケジューリング情報は、サービングアクセスノード１００−１により取得され、移動端末２００に転送される。いくつかの例においては、通信信号１３−１の場合のように、スケジューリング情報はサービングアクセスノード１００−１において既に入手可能である。他の例においては、通信信号１２−２の場合のように、スケジューリング情報を取得するためにアクセスノードの連携が使用されてもよい。このために、アクセスノード１００−１、１００−２、１００−３は、例えば転送ネットワークを介して連携信号２０を通信してもよい。連携信号２０を通信するために使用されるアクセスノード１００−１、１００−２、１００−３の間の通信リンクはバックホールリンクとも呼ばれる。図示する例において、アクセスノード１００−２は、移動端末２００へのＤＬ信号通信の際にアクセスノード１００−１と連携する。換言すると、アクセスノード１００−２は、移動端末２００へのＤＬ信号通信のためのサポーティングアクセスノードである。
【００２４】
本明細書で説明するような本発明のいくつかの実施形態によると、連携信号２０は、サポーティングアクセスノード１００−２のスケジューリング情報をサービングアクセスノード１００−１に通信するために使用される。これは、例えばサービングアクセスノード１００−１とサポーティングアクセスノード１００−２との間の通信リンクを使用して直接的に達成されてもよい。更にこれは、例えばアクセスノード１００−１とアクセスノード１００−３との間の通信リンク及びアクセスノード１００−２とアクセスノード１００−３との間の通信リンクを使用して間接的に達成されてもよい。後者の場合、サポーティングアクセスノード１００−２のスケジューリング情報は、更なるアクセスノードすなわちアクセスノード１００−３を介して、サービングアクセスノード１００−１に通信される。
【００２５】
スケジューリング情報を取得して転送する処理は、サービングアクセスノード１００−１により取得されるか又は移動端末２００に転送されるスケジューリング情報の特定の種類又は項目の選択又はフィルタリングを更に含んでもよいことが理解される。
【００２６】
サービングアクセスノードにより取得されて移動端末２００に転送されるスケジューリング情報は、更なる移動端末２００'又は２００"'への信号通信、すなわち通信信号１２−２又は１３−１の送信に使用される変調方式、符号化方式、プリコーディング行列、参照信号、送信電力、周波数リソース割り当て及び／又は時間リソース割り当てを示してもよい。サービングアクセスノード１００−１により取得されるか又は移動端末２００に転送されるスケジューリング情報の種類又は項目は、干渉緩和を行うための移動端末２００の要件に依存して選択されてもよい。
【００２７】
例えば干渉緩和が干渉除去として実現される場合、取得又は転送されるスケジューリング情報は、一般に、割り当てられたリソースブロック（ＲＢ）、すなわち周波数リソース割り当て及び／又は時間リソース割り当て、送信電力、変調方式、符号化方式、例えばプリコーディング行列インジケータ（ＰＭＩ）としてのプリコーディング行列、ランクインジケータ、参照信号又は参照シンボル、例えばハイブリッド自動再送要求（ＨＡＲＱ）バージョン等を示す。一般にそのような情報は、例えばＬＴＥの物理ダウンリンク制御チャネル（ＰＤＣＣＨ）である制御チャネルでサービングアクセスノードからそれに関連した移動端末に通信される。例えば干渉緩和が干渉抑圧合成として実現される場合、受信又は転送されるスケジューリング情報は、一般に、例えばプリコーディング行列インジケータ等として、割り当てられたリソースブロック（ＲＢ）、すなわち周波数リソース割り当て及び／又は時間リソース割り当て、参照信号又は参照シンボル、送信電力及びプリコーディング行列を示す。変調方式又は符号化方式等の他のスケジューリング情報は必要ないが、取得又は転送されてもよい。例えば信号通信がＬＴＥ等におけるＵＥ別の参照信号を使用する場合、周波数リソース割り当て及び／又は時間リソース割り当ては干渉抑圧合成に使用されてもよい。従って、取得されて転送されるスケジューリング情報の種類及び項目は、移動端末２００において実現される干渉緩和処理に依存してもよい。スケジューリング情報は、例えばＬＴＥのＰＤＣＣＨである制御チャネル、あるいは例えばＬＴＥの物理ダウンリンク共有チャネル（ＰＤＳＣＨ）であるデータチャネルで移動端末に転送されてもよい。
【００２８】
任意の数のアクセスノードが種々の組み合わせで連携できることが理解される。例えばアクセスノード１００−３は、移動端末２００へのＤＬ信号通信のためのサポーティングアクセスノードにもなる。更にアクセスノード１００−１は、移動端末２００'及び／又は移動端末２００"へのＤＬ信号通信のためのサポーティングアクセスノードになる。後者の場合、アクセスノード１００−１は、自身のスケジューリング情報、すなわち通信信号１２−１を移動端末２００に送信するのに使用されるスケジューリング情報を例えばアクセスノード１００−２又は１００−３である更なるアクセスノードに送信する。更に、更なるアクセスノード（不図示）は、１つ以上の移動端末２００、２００'、２００"、２００"'へのＤＬ信号通信のためのサポーティングアクセスノードとして参加できることが理解される。
【００２９】
図２は、ＤＬ信号通信の際のアクセスノードの連携に関する本発明の一実施形態に係るデバイスの例示的な一実現例を概略的に示す。更に図２は、それらデバイス間の通信を示す。図２において、図１に類似する要素は同一の図中符号で示されている。それら要素に関する追加の情報は、図１に関する上記説明から得られる。
【００３０】
図２において、アクセスノード１００−１、アクセスノード１００−２、移動端末２００及び移動端末２００'が示される。以下において、アクセスノード１００−１は第１のアクセスノードとも呼ばれ、アクセスノード１００−２は第２のアクセスノードとも呼ばれる。同様に、移動端末２００は第１の移動端末とも呼ばれ、移動端末２００'は更なる移動端末又は第２の移動端末とも呼ばれる。
【００３１】
図１に関して説明したように、第１のアクセスノード１００−１は、第１の移動端末２００に対するサービングアクセスノードである。換言すると、移動端末２００は第１のアクセスノード１００−１と関連付けられる。第２のアクセスノード１００−２は、第２の移動端末２００'に対するサービングアクセスノードである。換言すると、第２の移動端末２００'は第２のアクセスノード１００−２と関連付けられる。
【００３２】
アクセスノード１００−２は、移動端末２００における干渉緩和を可能にするためにアクセスノード１００−１と連携するサポーティングアクセスノードとして選択されたと仮定する。従って、移動端末２００へのＤＬ信号通信の際のアクセスノード１００−１、１００−２の連携の観点から、アクセスノード１００−１はサービングアクセスノードであり、アクセスノード１００−２はサポーティングアクセスノードである。
【００３３】
ここでも、図２には示されないが１つ以上の更なるアクセスノードが存在してもよいことが理解される。これらの更なるアクセスノードは、サポーティングアクセスノードとして選択される候補であってもよく、あるいはサポーティングアクセスノードとして既に選択されていてもよい。また、例えばサポーティングアクセスノードとして使用されるのに適格でない１つ以上の更なるアクセスノードとサービングアクセスノード１００−１との間に直接又は間接バックホールリンクが存在しないため、それら１つ以上の更なるアクセスノードが存在してもよい。更に、図２には示さないが更なる移動端末が存在する。それら移動端末は、アクセスノード１００−１、１００−２のうちの一方又はあらゆる更なるアクセスノードと関連付けられる。
【００３４】
尚、例えばアクセスノード１００−１、１００−２のうちの一方であるアクセスノードは、特定の移動端末に対するサービングアクセスノードであり、その一方で別の端末に対するサポーティングアクセスノードである。移動端末が移動し、別のアクセスノードがサービングアクセスノードの役割を引き継ぐ場合、先のサービングアクセスノードはサポーティングアクセスノードの役割を引き継いでもよく、あるいは連携のために考慮されなくなってもよい。
【００３５】
図示する個々のデバイス１００−１、１００−２、２００及び２００'の各々は、送信ユニット又は送信機を示すＴで始まるサブユニット、受信ユニット又は受信機を示すＲで始まるサブユニット、処理ユニット又はプロセッサを示すＰで始まるサブユニット及び記憶装置又はメモリを示すＳで始まるサブユニットの１つ以上のサブユニットを含む。
【００３６】
移動端末２００は、自身のサービングアクセスノードすなわち第１のアクセスノード１００−１に通信信号１０−１を送信する送信機Ｔ３１を含む。ある状況において、移動端末２００により送信される通信信号１０−１は、例えば第２のアクセスノード１００−２である別のアクセスノードにより干渉信号（不図示）としても受信される。更に移動端末２００は、自身に関連付けられたサービングアクセスノードすなわち第１のアクセスノード１００−１から通信信号１２−１を受信するのを可能にする受信機Ｒ３１を含む。それと同時に、受信機Ｒ３１は、例えば第２のアクセスノード１００−２からの干渉信号１２−２'である他のアクセスノードからの１つ以上の干渉信号を更に受信する。いくつかの実施形態によると、受信機Ｒ３１は複数のアンテナを備えてもよく、それにより複数チャネルでの信号受信を可能にする。
【００３７】
移動端末２００の送信機Ｔ３１及び受信機Ｒ３１は、移動端末２００の無線インタフェースを実現し、例えばＬＴＥである無線通信技術に従って第１のアクセスノード１００−１又は他のアクセスノードと通信することを可能にする。送信機Ｔ３１及び受信機Ｒ３１は、トランシーバ又はトランシーバユニットと呼ばれる単一のデバイスに組み合わされてもよいことが理解される。
【００３８】
更に移動端末２００は、例えば通信信号１２−１及び干渉信号１２−２'である受信信号の処理、あるいは例えば通信信号１０−１である送信される信号の処理等のために移動端末２００の動作を制御するプロセッサＰ３を含む。また、移動端末２００は、情報又はデータ、例えばプロセッサにより実行されるプログラムコードデータ、あるいはプロセッサＰ３による信号の処理に使用される情報又はパラメータを格納及び検索するための記憶装置Ｓ３を含む。
【００３９】
尚、本明細書で説明するような概念の一部に対して、送信機Ｔ３１はオプションであり、省略されてもよい。しかし、移動電話等の一般的な移動端末はそのような送信機を含む。しかし、移動端末２００は、例えばページャデバイス又はメディアプレーヤデバイスとして、送信機能性なしで実現されることも考えられる。また、プロセッサＰ３及び／又は記憶装置Ｓ３は、少なくとも部分的に専用信号処理ハードウェアにより置換可能であることが理解される。
【００４０】
本発明の一実施形態によると、移動端末２００の処理ユニットＰ３は、移動端末２００において干渉緩和を達成するように構成される。このために、プロセッサＰ３は、移動端末のサービングアクセスノードすなわち第１のアクセスノード１００−１から受信されるような通信信号１２−１を供給され、サポーティングアクセスノード１００−２から受信されるような干渉信号１２−２'の少なくとも信号部分を除去する。干渉緩和処理の更なる詳細について以下に説明する。
【００４１】
いくつかの実施形態によると、プロセッサＰ３は、自身のサービングアクセスノードすなわち第１のアクセスノード１００−１と移動端末２００との間のリンクの特性、例えば移動端末２００から第１のアクセスノード１００−１に信号１０−１を送信するため及び／又は第１のアクセスノード１００−１から移動端末２００に信号１２−１を送信するために使用されるリンクの特性を測定するように更に構成されてもよい。例えばこれは、通信信号１２−１の受信信号強度を測定することにより達成されてもよい。プロセッサＰ３は、例えばアクセスノード１００−２である更なるアクセスノードと移動端末２００との間のリンクの特性、例えば干渉信号１２−２'が第２のアクセスノード１００−２から受信される時のリンクの特性を測定するように更に構成されてもよい。例えばこれは、リンクにおける受信信号強度を測定することにより達成されてもよい。プロセッサＰ３は、例えば信号１０−１を使用して測定レポートを送出することにより、自身の関連付けられたサービングアクセスノードすなわち第１のアクセスノード１００−１がそのような測定の結果を入手できるようにするように更に構成されてもよい。いくつかの実施形態において、そのような測定レポートはパス利得測定レポートであってもよい。
【００４２】
更なる移動端末２００'は、移動端末２００と同様の構造及び機能性を有する。特に、更なる移動端末２００'は、アクセスノード１００−２すなわち自身の関連付けられたサービングアクセスノードに通信信号１０−２を送信する送信機Ｔ４１を含む。ある状況において、更なる移動端末２００'により送信されるような通信信号１０−２は、例えばアクセスノード１００−１である別のアクセスノードにより干渉信号（不図示）として受信される可能性がある。また、更なる移動端末２００'は、アクセスノード１００−２から通信信号１２−２を受信するのを可能にする受信機Ｒ４１を含む。それと同時に、受信機Ｒ４１は、他のアクセスノードから１つ以上の干渉信号を受信する可能性がある。一実施形態によると、受信機Ｒ４１は、複数チャネルでの信号の受信を可能にする複数のアンテナを備えてもよい。
【００４３】
更なる移動端末２００'の送信機Ｔ４１及び受信機Ｒ４１は、移動端末２００'の無線インタフェースを実現し、例えばＬＴＥである無線通信技術に従って第２のアクセスノード１００−２又は他のアクセスノードと通信することを可能にする。送信機Ｔ４１及び受信機Ｒ４１は、トランシーバ又はトランシーバユニットと呼ばれる単一のデバイスに組み合わされてもよいことが理解される。
【００４４】
また、更なる移動端末２００'は、例えば通信信号１２−２である受信信号の処理、あるいは例えば通信信号１０−２である送信される信号の処理等のために更なる移動端末２００'の動作を制御するプロセッサＰ４を含む。更に、更なる移動端末２００'は、情報又はデータ、例えばプロセッサにより実行されるプログラムコードデータ、あるいはプロセッサＰ４による信号の処理に使用される情報又はパラメータを格納及び検索するための記憶装置Ｓ４を含む。
【００４５】
尚、本明細書で説明するような概念に対して、送信機Ｔ４１はオプションである。しかし、移動電話等の一般的な移動端末はそのような送信機を含む。しかし、更なる移動端末２００'は、例えばページャデバイス又はメディアプレーヤデバイスとして、送信機能性なしで実現されることも考えられる。また、プロセッサＰ４及び／又は記憶装置Ｓ４は、少なくとも部分的に専用信号処理ハードウェアにより置換可能であることが理解される。
【００４６】
本発明の一実施形態によると、更なる移動端末２００'の処理ユニットＰ４は、移動端末２００'において干渉緩和を達成するように構成される。しかし、以下においては、移動端末２００に対してのみ干渉緩和機能性について説明する。
【００４７】
いくつかの実施形態によると、プロセッサＰ４は、第２のアクセスノード１００−２と更なる移動端末２００'との間のリンクの特性、例えば更なる移動端末２００'から自身の関連付けられたサービングアクセスノードすなわち第２のアクセスノード１００−２に信号１０−２を送信するため及び／又はアクセスノード１００−２から更なる移動端末２００'に通信信号１２−２を送信するために使用されるリンクの特性を測定するように更に構成されてもよい。例えばこれは、通信信号１２−２の受信信号強度を測定することにより達成されてもよい。プロセッサＰ４は、例えば第１のアクセスノード１００−１である更なるアクセスノードと更なる移動端末２００'との間のリンクの特性を測定するように更に構成されてもよい。例えばこれは、受信信号強度を測定することにより達成されてもよい。プロセッサＰ４は、自身の関連付けられたサービングアクセスノードすなわちアクセスノード１００−２がそのような測定の結果を入手できるようにするように更に構成されてもよく、これは信号１０−２を使用して測定レポートを送出することにより達成されてもよい。いくつかの実施形態において、そのような測定レポートはパス利得測定レポートであってもよい。
【００４８】
第１のアクセスノード１００−１は、移動端末２００から通信信号１０−１を受信するか又は他の移動端末から通信信号を受信する受信機Ｒ１１を含む。第１のアクセスノード１００−１は、通信信号１２−１を移動端末２００に送信するか又は通信信号を他の移動端末に送信する送信機Ｔ１１を更に含む。
【００４９】
第１のアクセスノード１００−１の送信機Ｔ１１及び受信機Ｒ１１は、第１のアクセスノード１００−１の無線インタフェースを実現し、例えばＬＴＥである無線通信技術に従って移動端末２００又は他の移動端末と通信することを可能にする。送信機Ｔ１１及び受信機Ｒ１１は、トランシーバ又はトランシーバユニットと呼ばれる単一のデバイスに組み合わされてもよいことが理解される。
【００５０】
尚、いくつかの実施形態において、例えば移動端末が送信機能性なしで実現される場合、受信機Ｒ１１は省略されてもよい。しかし、ＬＴＥ  ＢＳ等の殆どのアクセスノードは、移動端末との双方向通信のためにそのような受信機を含む。しかし、第１のアクセスノード１００−１は、移動端末に対する受信機能性なしで実現されることも考えられる。
【００５１】
更に図示するように、第１のアクセスノード１００−１は、プロセッサＰ１と記憶装置Ｓ１とを含む。従って、送信される信号の処理及びやり取りされたか又は受信された信号又は情報の処理のために第１のアクセスノード１００−１の動作を制御する処理機能、並びに／あるいは例えばプロセッサＰ１により実行されるプログラムコードデータである情報又はデータを格納する記憶機能がアクセスノード１００−１に提供されてもよい。
【００５２】
いくつかの実施形態によると、プロセッサＰ１は、第１のアクセスノード１００−１と移動端末２００との間のリンクの特性を判定するように構成される。これは、移動端末２００の上記測定レポートを受信することにより達成されてもよい。更にこれは、移動端末２００から受信した参照信号を測定することにより、例えば受信信号強度を測定することにより、パス利得を測定することにより、あるいは待ち時間を測定することにより達成されてもよい。更にプロセッサＰ１は、例えばアクセスノード１００−２である更なるアクセスノードと移動端末２００との間のリンクの特性を判定するように構成されてもよい。これは、移動端末２００からリンクに対する測定レポートを受信することにより達成されてもよく、あるいは更なるアクセスノードから測定レポートを受信することにより達成されてもよい。また、プロセッサＰ１は、第１のアクセスノード１００−１と移動端末２００'との間のリンクの特性を判定するように構成されてもよい。これは、移動端末２００'から受信された参照信号を測定することにより、例えば受信信号強度を測定することにより、パス利得を測定することにより、あるいは待ち時間を測定することにより達成されてもよい。更にこれは、直接又は例えばアクセスノード１００−２である更なるアクセスノードを介して、移動端末２００'からリンクに対する測定レポートを受信することにより達成されてもよい。
【００５３】
第２のアクセスノード１００−２は、第１のアクセスノード１００−１と同様の構造及び機能性を有する。特に、第２のアクセスノード１００−２は、移動端末２００'から通信信号１０−２を受信するか又は他の移動端末から通信信号を受信する受信機Ｒ２１を含む。第２のアクセスノード１００−２は、通信信号１２−２を移動端末２００'に送信するか又は通信信号を他の移動端末に送信する送信機Ｔ２１を更に含む。
【００５４】
第２のアクセスノード１００−２の送信機Ｔ２１及び受信機Ｒ２１は、第２のアクセスノード１００−２の無線インタフェースを実現し、例えばＬＴＥである無線通信技術に従って移動端末２００'又は他の移動端末と通信することを可能にする。送信機Ｔ２１及び受信機Ｒ２１は、トランシーバ又はトランシーバユニットと呼ばれる単一のデバイスに組み合わされてもよいことが理解される。
【００５５】
尚、いくつかの実施形態において、例えば移動端末が送信機能性なしで実現される場合、受信機Ｒ２１は省略されてもよい。しかし、ＬＴＥ  ＢＳ等の殆どのアクセスノードは、移動端末との双方向通信のためにそのような受信機を含む。しかし、第２のアクセスノード１００−２は、移動端末に対する受信機能性なしで実現されることも考えられる。
【００５６】
更に図示するように、第２のアクセスノード１００−２は、プロセッサＰ２と記憶装置Ｓ２とを含む。従って、送信される信号の処理及びやり取りされたか又は受信された信号又は情報の処理のためにアクセスノード１００−２の動作を制御する処理機能、並びに／あるいは例えばプロセッサＰ２により実行されるプログラムコードデータである情報又はデータを格納する記憶機能が第２のアクセスノード１００−２に提供されてもよい。
【００５７】
いくつかの実施形態によると、プロセッサＰ２は、第２のアクセスノード１００−２と更なる移動端末２００'との間のリンクの特性を判定するように構成される。これは、更なる移動端末２００'の上述した測定レポートを受信することにより達成されてもよい。更にこれは、更なる移動端末２００'から受信した参照信号を測定することにより、例えば受信信号強度を測定することにより、パス利得を測定することにより、あるいは待ち時間を測定することにより達成されてもよい。更にプロセッサＰ２は、例えば第１のアクセスノード１００−１である更なるアクセスノードと更なる移動端末２００'との間のリンクの特性を判定するように構成されてもよい。これは、移動端末２００'からリンクに対する測定レポートを受信することにより達成されてもよく、あるいは更なるアクセスノードから測定レポートを受信することにより達成されてもよい。また、プロセッサＰ２は、第２のアクセスノード１００−２と移動端末２００との間のリンクの特性を判定するように構成されてもよい。これは、移動端末２００から受信された参照信号を測定することにより、例えば受信信号強度を測定することにより、パス利得を測定することにより、あるいは待ち時間を測定することにより達成されてもよい。更にこれは、直接又は例えばアクセスノード１００−１である更なるアクセスノードを介して、移動端末２００からリンクに対する測定レポートを受信することにより達成されてもよい。
【００５８】
更に第１のアクセスノード１００−１は、例えば第２のアクセスノード１００−２である他のアクセスノードに信号を送信する送信機Ｔ１２と、例えば第２のアクセスノード１００−２である他のアクセスノードから信号を受信する受信機Ｒ１２とを含む。同様に、第２のアクセスノード１００−２は、例えば第１のアクセスノード１００−１である他のアクセスノードに信号を送信する送信機Ｔ２２と、例えば第１のアクセスノード１００−１である他のアクセスノードから信号を受信する受信機Ｒ２２とを含む。送信機Ｔ１２及び受信機Ｒ１２は、第１のアクセスノード１００−１のアクセスノード間インタフェースを実現し、例えば第２のアクセスノード１００−２である他のアクセスノードとの通信を可能にする。同様に、送信機Ｔ２２及び受信機Ｒ２２は、第２のアクセスノード１００−２のアクセスノード間インタフェースを実現し、例えば第１のアクセスノード１００−１である他のアクセスノードとの通信を可能にする。
【００５９】
送信機Ｔ１２及び受信機Ｒ２２は、例えばケーブルにより直接接続されてもよく、あるいは例えば中間交換ノード及び／又は中間ルーティングノードを含むあらゆる無線又は有線転送ネットワークを介して間接的に接続されてもよい。同様に、送信機Ｔ２２及び受信機Ｒ１２は、例えばケーブルにより直接接続されてもよく、あるいは例えば中間交換ノード及び／又は中間ルーティングノードを含むあらゆる無線又は有線転送ネットワークを介して間接的に接続されてもよい。
【００６０】
従って、第１のアクセスノード１００−１及び第２のアクセスノード１００−２は、第１のアクセスノード１００−１と第２のアクセスノード１００−２とを直接接続する例えばケーブル又はファイバである専用物理接続を介して通信してもよい。別の例によると、第１のアクセスノード１００−１及び第２のアクセスノード１００−２は、中間交換ノードを含む交換通信ネットワーク又は中間ルーティングノードを含むルーティング通信ネットワークを介して通信してもよい。本明細書で説明するような概念を実現するのに適したアクセスノードの相互接続の一例は、３ＧＰＰ  ＬＴＥ仕様書に従うインタフェースＸ２であり、これは基準となる転送ネットワークに依存しないＩＰインタフェースである。
【００６１】
サービングアクセスノード１００−１は、アクセスノード間インタフェースを使用して、サポーティングアクセスノード１００−２により端末２００'に送信されるような通信信号１２−２に関するスケジューリング情報を要求できる。上述したように、通信信号１２−２は、移動端末２００により干渉信号１２−２'としても受信される。スケジューリング情報は、サービングアクセスノード１００−１からサポーティングアクセスノード１００−２に要求メッセージ２２を送出することにより又はサービングアクセスノード１００−１からサポーティングアクセスノード１００−２にサブスクライブメッセージ２２'を送出することにより要求される。要求メッセージ２２及びサブスクライブメッセージ２２'については、以下に更に説明する。サポーティングアクセスノード１００−２において、要求メッセージ２２又はサブスクライブメッセージ２２'は、サポーティングアクセスノード１００−２のアクセスノード間インタフェースを使用して受信される。プロセッサＰ２は、要求メッセージ２２又はサブスクライブメッセージ２２'を評価し、要求メッセージ２２に応答して応答メッセージ２４を送信することにより又はサブスクライブメッセージ２２'に応答して１つ以上のパブリッシュメッセージを送信することによりサービングアクセスノード１００−１に要求されたスケジューリング情報を送信する。応答メッセージ２４又はパブリッシュメッセージ２４'は、アクセスノード間インタフェースを介して、すなわち送信機Ｔ２２及び受信機Ｒ１２を介して通信される。応答メッセージ２４及びパブリッシュメッセージ２４'の更なる詳細を以下に説明する。サービングアクセスノード１００−１の処理ユニットＰ１は、サポーティングアクセスノード１００−２のスケジューリング情報を受信し、受信したスケジューリング情報を移動端末２００に転送する。これは、サービングアクセスノード１００−１の無線インタフェース及び移動端末２００の無線インタフェース、すなわち送信機Ｔ１１及び受信機Ｒ３１を使用して達成される。スケジューリング情報は、受信された時に転送されてもよく、あるいは選択処理、フィルタリング処理又は他の種類の処理が行われてもよい。移動端末２００において、スケジューリング情報は干渉緩和処理で使用される。
【００６２】
更に送信機Ｔ１２、Ｔ２２及び受信機Ｒ１２、Ｒ２２により実現されるようなアクセスノード１００−１、１００−２のアクセスノード間インタフェースは、上述したリンク特性に関する情報の通信、例えば測定レポートの通信に使用されてもよい。特にアクセスノード１００−２と移動端末２００との間のリンクの特性に関する情報は、アクセスノード１００−２からアクセスノード１００−１に通信されてもよい。上述したように、アクセスノード１００−１、１００−２の間で通信されるそのような特性は、リンクの信号品質に関連してもよい。サービングアクセスノード１００−１の処理ユニットＰ１は、アクセスノード１００−２がサポーティングアクセスノードとして使用されるべきか否かを決定する基準としてリンク特性に関する情報を使用してもよい。これについては、図４及び図５に関連して更に説明する。
【００６３】
図３は、ＤＬ信号通信におけるマルチユーザＭＩＭＯの例（ＭＩＭＯ：多入力多出力）に関する本発明の更なる一実施形態に係るデバイスの例示的な一実現例を概略的に示す。図３は、それらデバイス間の通信を更に示す。図３において、図１及び図２に類似する要素は同一の図中符号で示されている。それら要素に関する追加の情報は、図１及び図２に関する上記説明から得られる。
【００６４】
図３において、アクセスノード１００−１、移動端末２００及び移動端末２００"'が示される。以下において、移動端末２００は第１の移動端末とも呼ばれ、移動端末２００"'は更なる移動端末とも呼ばれる。
【００６５】
図１に関して説明したように、アクセスノード１００−１は、第１の移動端末２００に対するサービングアクセスノードである。換言すると、移動端末２００は第１のアクセスノード１００−１と関連付けられる。アクセスノード１００−１は、第２の移動端末２００"'に対するサービングアクセスノードでもある。換言すると、第２の移動端末２００"'はアクセスノード１００−１と関連付けられる。
【００６６】
更なる移動端末２００"'は、移動端末２００、２００'に対して上述したのと同様の構造及び機能性を有する。特に、更なる移動端末２００"'は、アクセスノード１００−１すなわち自身の関連付けられたサービングアクセスノードに通信信号１１−１を送信する送信機Ｔ５１を含む。ある状況において、更なる移動端末２００"'により送信されるような通信信号１１−１は、別のアクセスノードにより干渉信号（不図示）として受信される可能性がある。また、更なる移動端末２００"'は、アクセスノード１００−１から通信信号１３−１を受信するのを可能にする受信機Ｒ５１を含む。それと同時に、受信機Ｒ５１は、他のアクセスノードから１つ以上の干渉信号を受信する可能性がある。一実施形態によると、受信機Ｒ５１は、複数チャネルでの信号の受信を可能にする複数のアンテナを備えてもよい。
【００６７】
更なる移動端末２００"'の送信機Ｔ５１及び受信機Ｒ５１は、移動端末２００"'の無線インタフェースを実現し、例えばＬＴＥである無線通信技術に従ってアクセスノード１００−１又は他のアクセスノードと通信することを可能にする。送信機Ｔ５１及び受信機Ｒ５１は、トランシーバ又はトランシーバユニットと呼ばれる単一のデバイスに組み合わされてもよいことが理解される。
【００６８】
また、更なる移動端末２００"'は、例えば通信信号１３−１である受信信号の処理、あるいは例えば通信信号１１−１である送信される信号の処理等のために更なる移動端末２００"'の動作を制御するプロセッサＰ５を含む。更に、更なる移動端末２００"'は、情報又はデータ、例えばプロセッサにより実行されるプログラムコードデータ、あるいはプロセッサＰ５による信号の処理に使用される情報又はパラメータを格納及び検索するための記憶装置Ｓ５を含む。
【００６９】
尚、本明細書で説明するような概念に対して、送信機Ｔ５１はオプションである。しかし、移動電話等の一般的な移動端末はそのような送信機を含む。しかし、更なる移動端末２００"'は、例えばページャデバイス又はメディアプレーヤデバイスとして、送信機能性なしで実現されることも考えられる。また、プロセッサＰ５及び／又は記憶装置Ｓ５は、少なくとも部分的に専用信号処理ハードウェアにより置換可能であることが理解される。
【００７０】
本発明の一実施形態によると、更なる移動端末２００"'の処理ユニットＰ５は、移動端末２００"'において干渉緩和を達成するように構成される。しかし、以下においては、移動端末２００に対してのみ干渉緩和機能性について説明する。
【００７１】
図３に示すようなアクセスノード１００−１は、図２に関連して説明したのと同様の構造及び機能性を有する。しかし、図３に関連して説明したような干渉緩和の概念に対して、受信機Ｒ１２及び送信機Ｔ１２により実現されるアクセスノード間インタフェースはオプションである。更にサポーティングアクセスノードを選択することに対する機能性は必要ない。
【００７２】
図３に示すように、アクセスノード１００−１は、送信機Ｔ１１を使用して、通信信号１２−１を移動端末２００に送信し、通信信号１３−１を更なる移動端末２００"'に送信する。このために、送信機Ｔ１１は、複数のアンテナ及び／又は複数の送信機サブユニットを使用してマルチチャネル動作を行うように構成されてもよい。通信信号１３−１は、移動端末２００において干渉信号１３−１'として受信される。
【００７３】
移動端末２００の構造及び機能性は、上述した構造及び機能性に類似する。しかし、図３の干渉の例において、移動端末２００の受信機Ｒ３１は、アクセスノード１００−１から干渉信号１３−１'を受信する。移動端末２００において干渉緩和を達成するために、移動端末のプロセッサＰ３は、移動端末２００のサービングアクセスノードから、すなわちアクセスノード１００−１から受信されるような通信信号１２−１を供給され、アクセスノード１００−１から受信されるような干渉信号１３−１'の少なくとも信号部分を除去する。これは、サービングアクセスノード１００−１により移動端末２００に転送される通信信号１３−１に関するスケジューリング情報に基づいて達成される。干渉緩和の処理は、干渉除去に基づく処理であってもよく、あるいは干渉抑圧合成に基づく処理であってもよい。そのようなスケジューリング情報に基づく干渉緩和処理の更なる詳細を以下に説明する。
【００７４】
図３の干渉の例において、干渉緩和を達成するのに移動端末２００により必要とされるスケジューリング情報は、移動端末２００と更なる移動端末２００"'との双方に対するサービングアクセスノードであるアクセスノード１００−１において既に入手可能である。従って、アクセスノード１００−１は、更なる移動端末２００"'に対するスケジューリング処理から、例えば記憶装置Ｓ１から、転送されるスケジューリング情報を取得する。更に入手可能なスケジューリング情報のフィルタリング又は選択は、アクセスノード１００−１において達成されてもよい。例えばアクセスノード１００−１は、通信信号１３−１に関する一部又は全てのスケジューリング情報が移動端末２００に転送されるべきであるかを決定する基準として、移動端末１００へのリンクのリンク特性及び／又は更なる移動端末２００"'へのリンクのリンク特性を使用してもよい。そのようなリンク特性は、例えば受信信号強度、信号対雑音比又はパス利得等である信号品質を表してもよい。例えば移動端末において受信されるような干渉信号１３−１'の信号品質が干渉緩和を達成するには低すぎることをリンク特性が示す場合、アクセスノード１００−１は、通信信号１３−１に関するいずれのスケジューリング情報も移動端末２００に転送しないと決定してもよい。更に上述したように、スケジューリング情報の種類及び項目は、移動端末２００により実現される干渉緩和処理に依存してもよい。
【００７５】
以下において、本発明の実施形態に係るサポーティングアクセスノードの選択を行う処理について更に説明する。
【００７６】
本明細書で説明するようなＤＬ信号通信におけるアクセスノードの連携のために、サポーティングアクセスノードとして参加すべきである１つ又は複数のアクセスノードを判定するのが望ましい。一般にこの決定は、サービングアクセスノードにおいて行われる。
【００７７】
１つ以上のサポーティングアクセスノードを実際に選択する前に、サービングアクセスノードは、連携を要求とする移動端末、例えばセルエッジに配置され且つサービングアクセスノードから受信された通信信号の低いキャリア強度及び／又は高い同一チャネル干渉の影響を受ける移動端末を識別する。
【００７８】
連携を要求する移動端末毎に、サービングアクセスノードは潜在的なサポーティングアクセスノードの集合をコンパイルできる。このために、サービングアクセスノードは、上述したように移動端末の測定レポートを使用できる。いくつかの例において、そのような測定レポートは、潜在的なハンドオーバ候補アクセスノードを識別するために構築されているため既に存在している可能性がある。従って、測定レポートは、潜在的なハンドオーバ対象アクセスノードであるアクセスノードを示す可能性がある。一般にそのような測定レポートは、サービングアクセスノードに定期的に送出される。本発明のいくつかの実施形態によると、測定レポートは、通信信号が移動端末において特定の品質レベル内で受信されるアクセスノードを識別するように機能してもよい。サービングアクセスノードは、測定レポートから潜在的に連携するアクセスノードの集合を判定できる。
【００７９】
例えば測定レポートは、所定の移動端末に向かう最適な無線チャネルを有するアクセスを示す。アクティブ集合とも呼ばれることがある潜在的なハンドオーバ候補として適格である示された全てのアクセスノードは潜在的なサポーティングアクセスノードのリストに含まれてもよい。あるいは又は更に、潜在的なサポーティングアクセスノードのリストは、アクセスノードの場所情報に基づいてもよく、アクセスノードの配置構造及び物理接続に基づいてもよく、運用及び保守（Ｏ＆Ｍ）システムにより設定されてもよく、あるいはシステムセットアップ中に事前に設定されてもよい。
【００８０】
更に又はあるいは、以下の１つ以上の基準が１つ以上のサポーティングアクセスノードを選択する処理において適用されてもよい。
【００８１】
−アクセスノードの連携は、サポーティングアクセスノードから移動端末へのリンクの信号品質がサービングアクセスノードから移動端末へのリンクの信号品質に近い場合に特に有益である。従って、Ｒｃで示される潜在的なサポーティングアクセスノードからのリンクの信号品質とＲｓで示されるサービングアクセスノードからのリンクの信号品質との間の差分（ΔＲＳＳ）は、１つ以上のサポーティングアクセスノードを選択するための１つのパラメータとしての役割を果たす。いくつかの実施形態によると、候補のリストは、ΔＲＳＳが特定の閾値ΔＲＳＳｔｈｒｅｓｈを下回るアクセスノード、すなわち関係｜Ｒｓ−Ｒｃ｜＜ΔＲＳＳｔｈｒｅｓｈを満たすアクセスノードに縮小される。信号品質は、受信信号強度として測定されてもよい。リンクの信号品質に関する情報は、移動端末、サービングアクセスノード又は潜在的なサポーティングアクセスノードにおいて測定を行うことにより取得されてもよい。必要に応じて、情報は専用メッセージ又は測定レポートによりサービングアクセスノードに通信されてもよい。
【００８２】
−アクセスノードは、バックホールリンクに関して種々の制限を有してもよい。例えば一部のノードはファイバを介して接続されてもよく、他のノードは有線接続（例えば、Ｅ１）を介して接続されてもよく、一部のノードは例えばセルフバックホール（例えば、ＬＴＥリンク）である無線接続を介して接続されてもよい。従って、潜在的なサポーティングアクセスノードのバックホールの制限は、１つ以上のサポーティングアクセスノードを選択するためのパラメータとしての役割を果たしてもよい。いくつかの実施形態によると、候補のリストは、バックホールが連携による追加の負荷に対処できるアクセスノードに縮小されてもよい。特定のアクセスノードの現在利用可能なバックホール容量に関する情報は、例えば３ＧＰＰ仕様書に従うＢＳ間インタフェースＸ２である上述したアクセスノード間インタフェースを介してやり取りされる。例えばこれは、ハンドオーバ中に達成されるか、あるいはＯ＆Ｍシステムにより提供される。ファイバの場合は数Ｇｂｐｓであり、ＤＳＬの場合は数百Ｍｂｐｓであり、マイクロ波の場合は数十Ｍｂｐｓであり、又は専用回線の場合は数Ｍｂｐｓである最大バックホール容量は、システムセットアップ時に事前に設定される。
【００８３】
−サービングアクセスノードのバックホール容量は制限要因でもある可能性がある。サービングアクセスノードと連携しているサポーティングアクセスノードが多い程、サービングアクセスノードにより受信される必要があるデータは多くなる。従って、サービングアクセスノードのバックホールの制限は、サポーティングアクセスノード数を制限するパラメータとしての役割を果たしてもよい。そのため、候補のリストは、サービングアクセスノードのバックホール容量が対処できるサポーティングアクセスノードの最大数に制限される。
【００８４】
−一般に無線通信プロトコルは、例えば自動再送要求（ＡＲＱ）のフィードバック又は再送信、測定レポート又はランダムアクセス等に関するある程度厳しい種々のタイミングの制約を含む。連携通信は、基本的に同一の厳しいタイミング制約を満たす必要がある。従って、バックホール情報のやり取りの待ち時間は、サポーティングアクセスノードを選択するためのパラメータとしての役割を果たす。いくつかの実施形態によると、候補のリストは、待ち時間（又は連携のために接続を提供する転送ネットワークの待ち時間）が特定の制限を下回るアクセスノードに縮小されてもよい。厳しい制限は、所定のアクセスノードが直接物理リンクを有する同一チャネルアクセスノードとのみ連携するという状況を招く可能性がある。待ち時間に関する情報は、Ｏ＆Ｍシステムにより提供されるか、あるいはシステムセットアップ時に事前に設定される。ＩＰネットワークにおいて、サービングアクセスノードは、例えばインターネット制御メッセージプロトコル（ＩＣＭＰ）エコー要求パケットを潜在的なサポーティングＢＳに送出し且つＩＣＭＰ「エコー応答」（「ｐｉｎｇ」としても既知である）をリスンすることによりラウンドトリップ時間を収集できる。あるいは又はそれに加えて、サービングアクセスノードは、例えば３ＧＰＰ仕様書に従うＢＳ間インタフェースＸ２であるＢＳ−ＢＳインタフェースを介する通信中に他のアクセスノードに対する応答時間を測定できる。例えばこれは、ハンドオーバ中に達成されてもよい。
【００８５】
−２つ以上の移動端末が連携を要求する場合、潜在的なサポーティングアクセスノードの集合は互いに影響し合う。例えば同一チャネルアクセスノードが２つの異なる集合の一部である場合、双方の移動端末に対してこのアクセスノードと連携するのが有益である。この場合、例えば要求メッセージ２２及び応答メッセージ２４又はサブスクライブメッセージ２２'及びパブリッシュメッセージ２４'であるやり取りされるデータが双方の移動端末の情報を１度に保持してもよいため、シグナリングオーバヘッドは低減される可能性がある。
【００８６】
上述したステップの順序は、メーカ／オペレータの優先順位に基づいて又は実現例に基づいて変更できること、あるいは上述したステップの一部のみが使用されてもよいことが理解される。
【００８７】
従って、本明細書で説明するようにＤＬ信号通信におけるアクセスノードの連携のために使用される１つ以上のサポーティングアクセスノードの集合を判定することは、以下の選択基準のうちの少なくとも１つに基づいて達成されてもよい。
【００８８】
−移動端末２００と少なくとも１つの更なるアクセスノードとの間のリンクの特性と比較される例えば移動端末２００とサービングアクセスノード１００−１との間の品質、負荷及び／又は待ち時間であるリンクの特性
−例えばサービングアクセスノードと少なくとも１つの更なるアクセスノードとの間の品質、負荷及び／又は待ち時間であるリンクの特性
−サービングアクセスノードの容量
−移動端末２００及び少なくとも１つの更なる移動端末に対する少なくとも１つの更なるアクセスノードの関係
−サービングアクセスノードの場所情報に対する少なくとも１つの更なるアクセスノードの場所情報
−少なくとも１つの更なるアクセスノードに関連する運用及び保守情報
−少なくとも１つの更なるアクセスノードに関連する事前設定情報
必要に応じて、上述した基準に関連する情報は、サポーティングアクセスノードとして潜在的に適切である更なるアクセスノードからサービングアクセスノード１００−１に送出されてもよい。
【００８９】
潜在的に連携するアクセスノードの最終的な集合をコンパイルすると、サービングアクセスノード１００−１はその集合の全てのアクセスノードからの連携を要求する。これは、要求／応答機構に従って又はパブリッシュ／サブスクライブ機構に従ってメッセージをやり取りすることにより達成されてもよく、サポーティングアクセスノード毎に個々に実行されてもよい。しかし、ネットワーク容量を効率的に使用するために、ユニキャストメッセージ、マルチキャストメッセージ及び／又はブロードキャストメッセージは必要に応じて使用されてもよいことが理解される。
【００９０】
連携するアクセスノードを選択する上記概念を図４及び図５に更に示す。
【００９１】
図４は、通信ネットワークのアクセスノード１００−１、１００−２、１００−３、１００−４、１００−５、１００−６、１００−７、１００−８、１００−９、１００−１０（ＡＮ１〜ＡＮ１０）のアンサンブルＥ１と移動端末２００とを示す。アクセスノード１００−１、１００−２、１００−３、１００−４、１００−５、１００−６、１００−７、１００−８、１００−９、１００−１０及び移動端末２００は、図１及び図２のアクセスノード及び移動端末に類似してもよい。アクセスノード１００−１は、移動端末２００に対するサービングアクセスノードである。移動端末２００は、自身のサービングアクセスノードすなわちアクセスノード１００−１から通信信号１２−１を受信し、アクセスノード１００−２、１００−３、１００−４、１００−５及び１００−８からそれぞれ干渉信号１２−２'、１２−３'、１２−４'、１２−５'及び１２−８'を受信する。サービングアクセスノード１００−１は、移動端末２００とのＤＬ信号通信においてサービングアクセスノード１００−１をサポートするのに適するためサポーティングアクセスノードとして選択されるアンサンブルＥ１の１つ以上のアクセスノードの集合Ｅ２を判定できる。この例によると、サービングアクセスノード１００−１は、集合Ｅ２に対してアクセスノード１００−２、１００−３及び１００−４を選択し、残りのアクセスノード１００−５、１００−６、１００−７、１００−８、１００−９、１００−１０を除外する。この決定は、移動端末２００とアクセスノード１００−２、１００−３、１００−４、１００−５、１００−６、１００−７、１００−８、１００−９、１００−１０との間の各リンクの特性に基づいてもよい。更にこの決定は、大きな信号強度で干渉信号を受信するには残りのアクセスノードのいずれからも遠すぎる移動端末２００の場所を認識していることに基づいてもよい。
【００９２】
図５において、サービングアクセスノード１００−１と集合Ｅ２のサポーティングアクセスノード１００−２、１００−３及び１００−４の各々との間でやり取りされるメッセージＭ１２、Ｍ１３及びＭ１４を示す。上述したように、やり取りされるメッセージは、要求メッセージ及び応答メッセージ、あるいはサブスクライブメッセージ及びパブリッシュメッセージであってもよく、関連する更なる移動端末（不図示）に対するサポーティングアクセスノードの信号通信に関するスケジューリング情報を要求及び受信する目的がある。図４及び図５に示すような状況は単なる例示であることが理解される。集合Ｅ２が３つのアクセスノードから成る図示する状況と比較すると、他の状況では、１つのアクセスノード、２つのアクセスノード、あるいは４つ以上のアクセスノードを集合Ｅ２に有してもよい。また、通信ネットワークのアクセスノードの総数は異なってもよいことが理解される。
【００９３】
以下において、本発明の実施形態に係るＤＬ信号通信におけるアクセスノードの連携の処理について説明する。これらの処理において、サポーティングアクセスノードは、例えば上述したような基準及び処理を使用して既に選択されたと仮定する。
【００９４】
図６は、要求／応答機構に基づくＤＬ信号通信におけるアクセスノードの連携の処理を信号伝送図の形式で概略的に示す。処理は、移動端末（ＵＥ１）２００と、サービングアクセスノード１００−１と、サポーティングアクセスノード１００−２と、更なる移動端末（ＵＥ２）２００'とを含み、これらは、図１及び図２に関連して説明した各デバイスに類似してもよい。
【００９５】
移動端末２００は、サービングアクセスノード１００−１と関連付けられる。サービングアクセスノード１００−１は、移動端末２００との通信を制御する。特にサービングアクセスノード１００−１は、移動端末２００への信号通信のスケジューリングを制御する。これは、スケジューリングステップ１１０−１において、サービングアクセスノード１００−１から移動端末２００への信号通信に使用されるサービングアクセスノード１００−１のスケジューリング情報、例えば変調方式、符号化方式、プリコーディング行列、参照信号、送信電力、周波数リソース割り当て及び／又は時間リソース割り当てを判定することを含む。更なる移動端末２００'は、サポーティングアクセスノード１００−２と関連付けられる。すなわち、サポーティングアクセスノードは、更なる端末のサービングアクセスノードであり、更なる移動端末２００'との通信を制御する。これは、スケジューリングステップ１１０−２において、サポーティングアクセスノード１００−２から更なる移動端末２００'への信号通信に使用されるサポーティングアクセスノード１００−２のスケジューリング情報、例えば符号化方式、プリコーディング行列、参照信号、送信電力、周波数リソース割り当て及び／又は時間リソース割り当てを判定することを含む。
【００９６】
移動端末２００は、連携する候補として既に識別されている。アクセスノード１００−２は、移動端末２００に対するサポーティングアクセスノードとして既に選択されている。移動端末２００への信号通信のスケジューリングを達成すると、サービングアクセスノード１００−１は、サポーティングアクセスノード１００−２のスケジューリング情報を取得するために、要求メッセージ２２をサポーティングアクセスノード１００−２に送出することにより移動端末２００に対するサポーティングアクセスノード１００−２からのサポートを要求する。要求メッセージ２２は、要求されるスケジューリング情報の種類を示してもよい。すなわち、スケジューリング情報の特定の項目を指定してもよい。更に要求メッセージ２２は、サービングアクセスノード１００−１のスケジューリング情報に関する情報を更に含んでもよく、例えばサービングアクセスノード１００−１から移動端末２００への信号通信に使用される周波数リソース割り当て及び／又は時間リソース割り当てを示してもよい。更に要求２２は、例えば信号対雑音比に関して、例えば移動端末２００がサポーティングアクセスノード１００−２から受信する干渉信号１２−２'の推定信号品質に対する追加の情報を含んでもよい。
【００９７】
要求メッセージ２２に応答して、スケジューリングステップ１１０−２'において、サポーティングアクセスノード１００−２は、オプションとして要求メッセージ２２で提供された情報を考慮して更なる移動端末２００'への信号通信を再スケジュールしてもよい。例えば要求メッセージ２２がサービングアクセスノード１００−１から移動端末２００への信号通信に使用される周波数リソース割り当て及び／又は時間リソース割り当てを示す場合、サポーティングアクセスノード１００−２は、異なる周波数リソース割り当て及び／又は時間リソース割り当てを使用できるように更なる移動端末２００'への信号通信を再スケジュールしてもよく、これは干渉を回避するのを助長する。要求メッセージ２２が移動端末２００で受信されるような干渉信号１２−２'の推定信号品質を示す場合、サポーティングアクセスノード１００−２は更なる移動端末２００'への信号通信を再スケジュールしてもよい。例えば送信電力が増加されるか、あるいは変調及び／又は符号化方式が適応され、これにより移動端末２００における干渉信号１２−２'の処理は容易になる可能性がある。あるいは、送信電力が減少され、干渉を回避するのを助長する可能性がある。サポーティングアクセスノード１００−２は、例えば信号品質の推定値を１つ以上の閾値と比較することにより、信号品質の推定値に依存して送信電力の調整方法を決定してもよい。例えば信号品質の推定値が小さい閾値を下回る場合、サポーティングアクセスノード１００−２は、送信電力を低減するように再スケジューリングを達成してもよい。更に信号品質の推定値が小さい閾値を上回り、大きい閾値を下回る場合、サポーティングアクセスノード１００−２は送信電力を増加するように再スケジューリングを達成してもよい。また、信号品質の推定値が大きい閾値を上回る場合、サポーティングアクセスノード１００−２は再スケジューリングを実行しなくてもよい。更にサポーティングアクセスノードは、変調方式及び／又は符号化方式を調整するように再スケジューリングを達成してもよい。例えば信号品質の推定値が閾値を下回る場合、低次変調及び／又はより高い冗長性を有する符号化方式が選択されてもよい。
【００９８】
再スケジューリングを達成するか及びその達成方法に関するサポーティングアクセスノード１００−２の決定は、例えばサポーティングアクセスノード１００−２と通信する他の移動端末（不図示）のために制限される可能性がある更なる移動端末２００'への信号通信をスケジュールするリソースの可用性である他の基準に依存してもよいことが理解される。また、サポーティングアクセスノード１００−２が要求メッセージ２２を受信し且つ更なる移動端末２００'への信号通信のスケジューリングがまだ達成されていない場合、これはスケジューリングステップ１１０−２'において行われてもよく、スケジューリングステップ１１０−２'が再スケジューリングではなくスケジューリングを達成することを意味することが理解される。
【００９９】
その後、サポーティングアクセスノード１００−２は、応答メッセージ２４をサービングアクセスノード１００−１に送出する。応答メッセージは、最後のスケジューリングステップ１１０−２又は１１０−２'において判定されたようなサポーティングアクセスノード１００−２のスケジューリング情報の少なくとも一部を含む。サポーティングアクセスノード１００−２は、更なる移動端末２００'への信号通信に関する全ての入手可能なスケジューリング情報により応答してもよい。いくつかの実施形態によると、サポーティングアクセスノードは、例えば要求メッセージ２２の情報に従ってサポーティングアクセスノード１００−２の入手可能なスケジューリング情報から選択されたスケジューリング情報の特定の種類又は項目により応答してもよい。いくつかの実施形態において、応答メッセージ２４は、更なる情報、例えば別の移動端末（不図示）への信号通信に関するサポーティングアクセスノード１００−２のスケジューリング情報を更に含んでもよい。換言すると、応答メッセージ２４において、要求されたスケジューリング情報は他の情報と共に通信されてもよく、これによりサービングアクセスノード１００−１とサポーティングアクセスノード１００−２との間の信号伝送の効率的な使用が可能になる。場合によっては、サポーティングアクセスノード１００−２は応答メッセージ２４を送信しなくてもよい。
【０１００】
サービングアクセスノード１００−１は、スケジューリング情報を含んだ応答メッセージ２４を受信する。選択／転送ステップ１２０−１において、サービングアクセスノード１００−１は、受信したスケジューリング情報の少なくとも一部を移動端末２００に転送する。サービングアクセスノード１００−１は、受信した全てのスケジューリング情報を転送してもよい。いくつかの実施形態によると、サービングアクセスノード１００−１は、例えば干渉緩和を達成するための移動端末２００の要件に従って、受信したスケジューリング情報から選択されたスケジューリング情報の特定の種類又は項目を更に転送してもよい。例えば移動端末２００において実現される干渉緩和処理が干渉除去に基づく場合、一般にサービングアクセスノード１００−１は更なる移動端末２００'への信号通信に関する全ての入手可能なスケジューリング情報を要求し、受信した全てのスケジューリング情報を移動端末２００に転送する。移動端末２００において実現される干渉緩和処理が干渉抑圧合成に基づく場合、いくつかの例において、サービングアクセスノード１００−１は、サポーティングアクセスノード１００−２のスケジューリング情報で示されるような送信電力及びプリコーディング行列のみを転送してもよい。しかし、例えばスケジューリング情報の他の種類がサービングアクセスノードと関連付けられた別の移動端末（不図示）に対する連携のために必要とされる場合、それらはサポーティングアクセスノード１００−２から要求及び受信されてもよい。例えばスケジューリング情報が移動端末２００により必要とされない場合、サービングアクセスノード１００−１は、いずれのスケジューリング情報も転送しないと決定する場合もある。
【０１０１】
従って、連携処理は、サポーティングアクセスノード１００−２からサービングアクセスノード１００−１により要求されるスケジューリング情報の選択と、サポーティングアクセスノード１００−２からサービングアクセスノード１００−１へ通信されるスケジューリング情報の選択と、移動端末２００へサービングアクセスノード１００−１により転送されるスケジューリング情報のフィルタリング又は選択とを含んでもよい。
【０１０２】
スケジューリング情報を移動端末２００に転送することは、例えばＬＴＥのＰＤＣＣＨであるサービングアクセスノード１００−１と移動端末２００との間の制御チャネル又は例えばＬＴＥのＰＤＳＣＨであるデータチャネルを使用して達成されてもよい。
【０１０３】
移動端末２００は、転送されたスケジューリング情報をサービングアクセスノード１００−１から受信する。
【０１０４】
送信ステップ１３０−１において、サービングアクセスノード１００−１は、通信信号１２−１を移動端末２００に送信する。それとほぼ同時に、すなわち同一の時間リソース割り当てを使用して、サポーティングアクセスノード１００−２は通信信号１２−２を更なる移動端末２００'に送信する。通信信号１２−２は、移動端末２００において干渉信号１２−２'として受信される。干渉のために、移動端末２００において受信されるような通信信号１２−１は干渉信号１２−２'の信号部分も含む。
【０１０５】
干渉緩和ステップ２２０−１において、移動端末２００は、受信されるような通信信号から干渉信号１２−２'の少なくとも信号部分を除去する。いくつかの実施形態によると、この処理は、干渉除去に基づき、移動端末２００により受信されるような干渉信号１２−２'の復号化を含む。これは、サポーティングアクセスノード１００−２のスケジューリング情報に基づいて達成される。更なる実施形態によると、この処理は、干渉抑圧合成に基づき、移動端末２００において受信されるような干渉信号１２−２'の干渉共分散行列を算出することを含む。これは、サポーティングアクセスノード１００−２のスケジューリング情報に基づいて達成される。干渉除去を使用する干渉緩和又は干渉抑圧合成を使用する干渉緩和の更なる詳細について以下に説明する。
【０１０６】
本発明の実施形態に従って使用されるような干渉除去に基づく処理において、移動端末２００は、干渉信号１２−２'を検出、変調及び復号化する。干渉信号が正確に復号化される場合、これは再変調され、移動端末２００において受信されるような通信信号１２−１から減算される。このように、干渉信号１２−２'による受信した通信信号１２−１における信号部分が除去されてもよい。
【０１０７】
干渉信号１２−２'を復号化する目的で、干渉信号１２−２'の発生元である通信信号１２−２を復号化するのに使用された更なる移動端末２００'と同一の情報が移動端末２００に提供される。これは、更なる移動端末２００'に送信された通信信号１２−２に対するサポーティングアクセスノード１００−２のスケジューリング情報を移動端末２００に提供することにより達成される。一般に、干渉除去に基づく処理を使用する実施形態において、移動端末に転送されたスケジューリング情報は、割り当てられた周波数ＲＢ、割り当てられたタイムスロット又は送信時間間隔（ＴＴＩ）、送信電力、変調方式、符号化方式、プリコーディング行列又はＰＭＩ、ランクインジケータ、参照信号又は参照シンボル、例えばＨＡＲＱバージョンである冗長情報を含む。
【０１０８】
上述したように、これは、移動端末２００により受信されるような干渉信号１２−２'が例えば信号対雑音比に関して十分に良い品質を有する場合に有益であり、検出、変調及び復号化を容易にする。これは、連携する移動端末２００を選択する時及び／又はサポーティングアクセスノード１００−２を選択する時に既に考慮されてもよい。換言すると、更なるアクセスノードからの干渉信号に対する移動端末２００における干渉除去が、移動端末２００により受信されるような干渉信号の信号品質が不十分であるために効果的でないと予想される場合、この移動端末２００に対して連携を使用しなくてもよく、あるいはこの更なるアクセスノードをサポーティングアクセスノード１００−２として選択しなくてもよい。更に、これはサポーティングアクセスノード１００−２において考慮される。例えばサポーティングアクセスノードにより受信された要求２２における情報が、サポーティングアクセスノード１００−２からの干渉信号に対する移動端末２００における干渉除去が効果的でないと予想されることを示す場合、サポーティングアクセスノードは要求２２に応答しなくてもよい。更に、サポーティングアクセスノード１００−２からの干渉信号に対する移動端末２００における干渉除去が効果的でないと予想される場合、サービングアクセスノード１００−１は、既に受信されたサポーティングアクセスノード１００−２のスケジューリング情報を転送しなくてもよい。
【０１０９】
本発明の実施形態に従って使用されるような干渉抑圧合成に基づく処理において、移動端末２００は、種々のアンテナに対応する複数のチャネルにおいて通信信号１２−１及び干渉信号１２−２'を受信し、干渉を緩和するために空間抑制を使用する。このために、移動端末２００は干渉信号の干渉共分散行列を算出してもよい。これは、受信したサポーティングアクセスノードのスケジューリング情報を使用して達成される。
【０１１０】
いくつかの実施形態において、移動端末２００は、チャネル共分散行列を算出するために、受信したスケジューリング情報で示されるような更なる移動端末２００'への信号通信のためにサポーティングアクセスノード１００−２により使用される送信電力、周波数リソース割り当て及び／又は時間リソース割り当てと、例えば周波数リソース及び／又は時間リソース毎のチャネル係数とを使用してもよい。チャネル係数は、サポーティングアクセスノード１００−２により送信され且つ受信したスケジューリング情報で示される参照信号又は参照シンボルに基づいて測定される。
【０１１１】
いくつかの実施形態において、例えばアクセスノード及び移動端末がＬＴＥに従ってセル別の参照信号に基づいて動作する場合、プリコーディング行列はペイロードデータ送信のために使用され、その一方で、セル別の参照信号はプリコーディングされずに送信される。この場合、移動端末は、干渉信号１２−２'の干渉共分散行列を算出するために、更なる移動端末２００'への信号通信のためにサポーティングアクセスノード１００−２において使用されるプリコーディング行列を更に使用してもよい。プリコーディング行列は、移動端末に転送されたスケジューリング情報に含まれる。
【０１１２】
いくつかの実施形態において、例えばアクセスノード及び移動端末がＬＴＥに従ってＵＥ別の参照信号に基づいて動作する場合、プリコーディング行列は、ペイロードデータ送信及びＵＥ別の参照信号に使用される。この場合、移動端末２００は、干渉信号１２−２'の干渉共分散行列を算出するために、更なる移動端末２００'への信号通信のためにサポーティングアクセスノード１００−２において使用されるＵＥ別の参照信号を更に使用してもよい。ＵＥ別の参照信号に関する情報は、移動端末２００に転送されたスケジューリング情報に含まれる。
【０１１３】
いくつかの実施形態によると、チャネル共分散行列は以下の式に従って算出される。
0005426778.tif 000002
（１）
式中、Ｅ［．．．］は期待値関数を示し、ｙｋはサブキャリアｋの受信信号を示し、Ｐｓｅｒｖ，ｋ及びｗｓｅｒｖ，ｋはサブキャリアｋのペイロードデータに使用される送信電力及びプリコーディングベクトルをそれぞれ示し、ｈｓｅｒｖ，ｋはサブキャリアｋにおけるサービングアクセスノードから当該移動端末２００へのチャネル係数を示す。
【０１１４】
従って、いくつかの実施形態において、移動端末２００は、チャネル係数を正確に判定できるように干渉信号における参照信号又は参照シンボルに基づいてチャネル測定を実行し、それらチャネル係数及び受信したプリコーディング行列を使用して以下の式に従って既知の干渉信号の正確な干渉共分散行列を算出してもよい。
0005426778.tif 000003
なお、iは、既知の干渉信号
式中、Ｐｉ，ｋ、ｗｉ，ｋはサブキャリアｋにおける干渉信号「ｉ」の送信電力及びプリコーディングベクトルをそれぞれ示し、ｈｉ，ｋはサブキャリアｋにおける干渉信号「ｉ」から当該移動端末２００へのチャネル係数を示す。式（１）及び（２）において、上付きの添え字（）Ｈは共役複素数及び転置ベクトルを示すために使用される。
【０１１５】
チャネル共分散行列は、算出された干渉共分散行列から演繹され、移動端末２００により受信されるような通信信号１２−１から干渉信号１２−２'の少なくとも信号部分を除去するために使用されてもよい。これは、通信信号１２−１及び干渉信号１２−２'に逆チャネル共分散行列を使用するマルチチャネルフィルタリング処理を行うことにより達成される。
【０１１６】
上記において、１つのサポーティングアクセスノード１００−２に対してのみ連携の概念を示す。サービングアクセスノード１００−１が複数のサポーティングアクセスノードを識別した場合、図示する処理はサポーティングアクセスノード毎に個々に実行されてもよい。すなわち、サービングアクセスノード１００−１は各サポーティングアクセスノードからの連携を要求する。要求メッセージ２２は、ユニキャストメッセージとして、マルチキャストメッセージとして、あるいは状況に応じてブロードキャストメッセージとして送信される。各サポーティングアクセスノードは、要求されたスケジューリング情報により応答する。更に各サポーティングアクセスノードは、要求を取り消しても無視してもよい。
【０１１７】
図６に示した処理は、サービングアクセスノードが要求メッセージを送出し且つサポーティングアクセスノードが要求されたスケジューリング情報を含む応答メッセージにより応答する要求／応答機構に基づく。要求／応答機構は、スケジューリング情報が実際に必要な範囲でのみ要求及び送信されるため、アクセスノード間のバックホール容量を効率的に使用することを可能にする。いくつかの実施形態において、要求／応答機構はパブリッシュ／サブスクライブ機構に置き換えられてもよい。対応する処理を図７に示す。図７の処理は、移動端末（ＵＥ）２００と、サービングアクセスノード１００−１と、サポーティングアクセスノード１００−２と、サブスクライブした更なるアクセスノード１００−３'とを含む。より適切な概要を与えるために、サポーティングアクセスノード１００−２と関連付けられた更なる移動端末は示さない。これらのデバイスは、図１及び図２に関連して説明したような各デバイスに類似してもよい。
【０１１８】
パブリッシュ／サブスクライブ機構に基づく図７の処理において、サポーティングアクセスノード１００−２は、サービス「スケジューリング情報の転送」を提供する。すなわち、更なる移動端末への信号通信に関するスケジューリング情報を他のアクセスノードに対してパブリッシュする。スケジューリング情報は、このサービスにサブスクライブしたアクセスノード、すなわちサービングアクセスノード１００−１及びサブクスライブした他のアクセスノード１００−３に通信される。例えばバックホール制約等のアクセスノード１００−２の機能である追加の情報を更に含むこの提供は、他のアクセスノードに直接通知されるか又は通信ネットワークのＯ＆Ｍシステムに通知される。図示する例においてはサービングアクセスノード１００−１及びサブスクライブした他のアクセスノード１００−３である関心アクセスノードは、提供されたサービスにサブスクライブする。これは、アクセスノード１００−２がそれらアクセスノードに対するサポーティングアクセスノードになることを意味する。
【０１１９】
図示するように、サポーティングアクセスノード１００−２により提供されるサービスにサブスクライブするために、サービングアクセスノード１００−１は、サブスクライブメッセージ２２'をサポーティングアクセスノード１００−２に送出し、サポーティングアクセスノードは、パブリッシュされたスケジューリング情報を含む少なくとも１つのパブリッシュメッセージ２４'をサービングアクセスノード１００−１に送信する。パブリッシュメッセージ２４'は、サポーティングアクセスノード１００−２の信号通信に関する更なる更新済みスケジューリング情報と共に関連付けられた移動端末に数回送出される。パブリッシュメッセージ２４'は、例えばマルチキャストメッセージ又はブロードキャストメッセージとして、サブスクライブしたいくつかのアクセスノード１００−１、１００−３に同時に送出されてもよい。パブリッシュメッセージ２４'の送信は、サービングアクセスノード１００−１がアンサブスクライブメッセージ２６をサポーティングアクセスノード１００−２に送出することに応答して停止されてもよい。
【０１２０】
パブリッシュメッセージ２４'は、最後のスケジューリングステップ１１０−２において判定されるようなサポーティングアクセスノード１００−２のスケジューリング情報の少なくとも一部を含む。サポーティングアクセスノード１００−２が新しいスケジューリング情報を判定する度に、すなわちスケジューリングステップ１１０−２において関連付けられた更なる移動端末への信号通信のスケジューリングを行う度に、新しいパブリッシュメッセージ２４'が送出されてもよい。サポーティングアクセスノード１００−２は、関連付けられた更なる移動端末への信号通信に関する入手可能な全てのスケジューリング情報をパブリッシュしてもよい。いくつかの実施形態によると、サポーティングアクセスノード１００−２は、サポーティングアクセスノード１００−２の入手可能なスケジューリング情報から選択されたスケジューリング情報の特定の種類又は項目をパブリッシュしてもよい。いくつかの実施形態において、パブリッシュメッセージ２４'は、例えば別の関連付けられた移動端末（不図示）への信号通信に関するサポーティングアクセスノード１００−２のスケジューリング情報である更なる情報を更に含んでもよい。換言すると、パブリッシュメッセージ２４'において、要求されたスケジューリング情報は他の情報と共に通信されてもよく、サービングアクセスノード１００−１とサポーティングアクセスノード１００−２との間の信号伝送の効率的な使用を可能にする。
【０１２１】
サービングアクセスノード１００−１は、スケジューリング情報を含んだパブリッシュメッセージ２４'を受信する。選択／転送ステップ１２０−１において、サービングアクセスノード１００−１は、受信したスケジューリング情報の少なくとも一部を移動端末２００に転送する。サービングアクセスノード１００−１は、受信した全てのスケジューリング情報を転送してもよい。いくつかの実施形態によると、サービングアクセスノード１００−１は、例えば干渉緩和を達成するための移動端末２００の要件に従って、受信したスケジューリング情報から選択されたスケジューリング情報の特定の種類又は項目のみを転送してもよい。例えば移動端末２００において実現される干渉緩和処理が干渉除去に基づく場合、一般にパブリッシュメッセージ２４'は、関連付けられた更なる移動端末へのサポーティングアクセスノード１００−２の信号通信に関する全ての入手可能なスケジューリング情報を含み、一般にサービングアクセスノードは、受信した全てのスケジューリング情報を移動端末２００に転送する。移動端末２００において実現される干渉緩和処理が干渉抑圧合成に基づく場合、サービングアクセスノード１００−１は、サポーティングアクセスノード１００−２のスケジューリング情報で示されるような送信電力及びプリコーディング行列のみを転送してもよい。しかし、例えばスケジューリング情報の他の種類がサービングアクセスノードと関連付けられた別の移動端末（不図示）に対する連携のために必要とされる場合、それらはサポーティングアクセスノード１００−２から受信されてもよい。例えばスケジューリング情報が移動端末２００により必要とされない場合、サービングアクセスノード１００−１は、いずれのスケジューリング情報も転送しないと決定する場合もある。
【０１２２】
従って、図７の連携処理は、サービングアクセスノード１００−１により移動端末２００に転送されるスケジューリング情報のフィルタリング又は選択を含む。
【０１２３】
スケジューリング情報を移動端末２００に転送することは、例えばＬＴＥのＰＤＣＣＨであるサービングアクセスノード１００−１と移動端末２００との間の制御チャネル又は例えばＬＴＥのＰＤＳＣＨであるサービングアクセスノード１００−１と移動端末２００との間のデータチャネルを使用して達成されてもよい。
【０１２４】
移動端末２００は、転送されたスケジューリング情報をサービングアクセスノード１００−１から受信する。
【０１２５】
送信ステップ１３０−１において、サービングアクセスノード１００−１は、通信信号１２−１を移動端末２００に送信する。それとほぼ同時に、すなわち同一の時間リソース割り当てを使用して、サポーティングアクセスノード１００−２は通信信号１２−２を更なる移動端末２００'に送信する。通信信号１２−２は、移動端末２００において干渉信号１２−２'として受信される。干渉のために、移動端末２００において受信されるような通信信号１２−１は干渉信号１２−２'の信号部分も含む。
【０１２６】
干渉緩和ステップ２２０−１において、移動端末２００は、受信されるような通信信号から干渉信号１２−２'の少なくとも信号部分を除去する。これは、受信したサポーティングアクセスノードのスケジューリング情報を使用して達成される。干渉緩和ステップ２２０−１は、図６に関連して説明したように実現されてもよい。
【０１２７】
サポーティングアクセスノード１００−２のスケジューリング情報がサービングアクセスノード１００−１により必要とされなくなった時、サポーティングアクセスノード１００−２により提供されるサービス「スケジューリング情報の転送」へのサービングアクセスノード１００−１のサブスクライブは取り消されてもよい。このために、サービングアクセスノード１００−１は、アンサブスクライブメッセージ２６を送出してもよい。他の取り消し手順が代わりに又はそれに加えて使用されてもよい。
【０１２８】
パブリッシュ／サブスクライブ機構は、減少されたオーバヘッドでアクセスノード間の長期的な関係を構築することを可能にする。更にサービングアクセスノード１００−１は、更新済みスケジューリング情報がサポーティングアクセスノードアクセスノード１００−２において入手可能になるとすぐにその情報を取得してもよい。
【０１２９】
図８は、図７の処理を使用するアクセスノードの連携の例示的な一例を示す。図８において、円はアクセスノードにより送信される通信信号の有効範囲領域を概略的に示し、その一方で、×印は通信信号が送信される移動端末の位置を示す。特に第１の移動端末の位置は３２０で示され、第１の移動端末３２０のサービングアクセスノードにより送信される通信信号の有効範囲領域は３００で示される。同様に、第２の移動端末の位置は４２０で示され、第２の移動端末４２０のサービングアクセスノードにより送信される通信信号の有効範囲領域は４００で示される。第３の移動端末の位置は５２０で示され、第３の移動端末５２０のサービングアクセスノードにより送信される通信信号の有効範囲領域は５００で示される。有効範囲領域３００、４００、５００の重複する領域において、通信信号の干渉が予想される。図示されるように、移動端末４２０は、他の移動端末３２０、５２０の双方のサービングアクセスノードにより送信される通信信号による干渉を受けると予想される。移動端末３２０は、干渉を全く受けないと予想される。従って、移動端末４２０のサービングアクセスノードは、他の移動端末３２０、５２０の双方のサービングアクセスノードと連携し、移動端末４２０のサービングアクセスノードは、移動端末３２０のサービングアクセスノードと連携する。移動端末３２０のサービングアクセスノードは、他のアクセスノードのいずれとも連携しない。各アクセスノードは、図７に関連して説明したようにサービス「スケジューリング情報の転送」を提供する。
【０１３０】
図８に示す例において、有効範囲領域３００に対応する移動端末３２０のサービングアクセスノードにより提供されるサービス「スケジューリング情報の転送」の加入者のグループは、有効範囲領域４００に対応する移動端末４２０のサービングアクセスノードと、有効範囲領域５００に対応する移動端末５２０のサービングアクセスノードとを含む。有効範囲領域４００に対応する移動端末４２０のサービングアクセスノードのみが、有効範囲領域５００に対応する移動端末５２０のサービングアクセスノードにより提供されるサービス「スケジューリング情報の転送」にサブスクライブされる。有効範囲領域４００に対応する移動端末４２０のサービングアクセスノードにより提供されるサービス「スケジューリング情報の転送」の加入者はいない。従って、移動端末４２０のサービングアクセスノードは、スケジューリング情報をパブリッシュする必要が全くない。
【０１３１】
図９は、上述したようにサービングアクセスノードの機能性を実現するために使用される本発明の一実施形態に係るアクセスノードに基づく方法を概略的に示すフローチャートである。この方法において、サービングアクセスノードは、移動端末と関連付けられ、移動端末へのＤＬ信号通信を制御する。
【０１３２】
ステップ８１０において、サービングアクセスノードはスケジューリング情報を取得する。スケジューリング情報は、サービングアクセスノード自体により達成されるスケジューリング処理から取得されてもよく、あるいはサポーティングアクセスノードから取得されてもよい。スケジューリング情報は、更なる移動端末への信号通信、例えばサービングアクセスノードから更なる移動端末、あるいはサポーティングアクセスノードから更なる移動端末への信号通信に関係する。サポーティングアクセスノードは、例えば図４及び図５に関連して説明したような概念に従ってサービングアクセスノードにより選択されていてもよい。スケジューリング情報は、サポーティングアクセスノードから更なる移動端末への前記信号通信に使用される変調方式、符号化方式、プリコーディング行列、参照信号、送信電力、周波数リソース割り当て及び／又は時間リソース割り当てを示してもよい。スケジューリング情報は、例えば図６に関連して説明したような応答要求機構を使用してサポーティングアクセスノードから受信されてもよく、あるいは例えば図７に関連して説明したようなパブリッシュ／サブスクライブ機構を使用して受信されてもよい。
【０１３３】
ステップ８２０において、サービングアクセスノードは取得されたスケジューリング情報を移動端末に転送する。ここで、転送されるスケジューリング情報は干渉緩和に使用されてもよい。
【０１３４】
図１０は、本発明の一実施形態に係る移動端末に基づく方法を概略的に示すフローチャートである。これは、上述したような移動端末の機能性を実現するために使用されてもよい。この方法において、移動端末と関連付けられたサービングアクセスノードは移動端末へのＤＬ信号通信を制御する。
【０１３５】
ステップ９１０において、移動端末は、サービングアクセスノードからスケジューリング情報を受信する。スケジューリング情報は、例えばサービングアクセスノードから更なる移動端末への信号通信又はサポーティングアクセスノードから更なる移動端末への信号通信である更なる移動端末への信号通信に関係する。スケジューリング情報は、サポーティングアクセスノードから更なる移動端末への前記信号通信に使用される変調方式、符号化方式、プリコーディング行列、参照信号、送信電力、周波数リソース割り当て及び／又は時間リソース割り当てを示してもよい。
【０１３６】
ステップ９２０において、移動端末は、サービングアクセスノードからの通信信号と、更なる移動端末への信号通信による干渉信号とを受信する。干渉信号は、サービングアクセスノードから移動端末へ通信信号を送信するのに使用されるのと同一のリソースを少なくとも部分的に使用してサービングアクセスノード又はサポーティングアクセスノードにより更なる移動端末に送信される通信信号から発生する可能性がある。
【０１３７】
ステップ９３０において、移動端末２００は、受信したスケジューリング情報を使用して通信信号から干渉信号の少なくとも信号部分を除去する。これは、上述したような干渉除去に基づく処理又は干渉抑圧合成に基づく処理に基づいて達成されてもよい。
【０１３８】
いくつかの実施形態によると、図９及び図１０の方法は互いに組み合わされてもよい。特に図１０の方法で移動端末により受信されるようなスケジューリング情報は、図９の方法に従って転送されていてもよい。
【０１３９】
上記概念、例及び実施形態は単なる例示であり、種々の変形が行われることが理解される。例えば上述した方法及び処理において、ステップ又は手順は、上述した順序で実行されてもよく、あるいは異なる順序で実行されてもよい。更に本発明の範囲から逸脱せずに特定のステップ又は手順を省略できる。説明したデバイスの機能性は、例えば上述したようなアクセスノード及び移動端末の各プロセッサであるプロセッサにより実行されるコンピュータプログラムにより実現されてもよく、あるいは専用ハードウェアにより実現されてもよい。更に種々の例又は実施形態の個々の特徴は、必要に応じて互いに組み合わされてもよい。特に図６に関連して詳細に説明したような干渉緩和処理は、図３のマルチユーザＭＩＭＯの干渉の例において使用されてもよい。
【図１】
0005426778.tif 000004
【図２】
0005426778.tif 000005
【図３】
0005426778.tif 000006
【図４】
0005426778.tif 000007
【図５】
0005426778.tif 000008
【図６】
0005426778.tif 000009
【図７】
0005426778.tif 000010
【図８】
0005426778.tif 000011
【図９】
0005426778.tif 000012
【図１０】
0005426778.tif 000013